【事件の表示】
　平成　３年特許願第２８０８６８号「パチンコ球の送り出し装置」拒絶査定に対する審判事件［平成　５年　４月１６日出願公開、特開平　５−　９２０７７］について、次のとおり審決する。
【結　論】
　本件審判の請求は、成り立たない。
【理　由】
１．手続の経緯・本願発明
　本願は、平成３年９月３０日の出願であって、その請求項１に係る発明は、平成１３年１１月９日付手続補正書により補正された明細書及び図面の記載からみて、特許請求の範囲の請求項１に記載された次のとおりのものである。
「【請求項１】　パチンコ球が縦列をなして通過する球通路に、パチンコ球を単位個数づつ通過させる回転部材を、その外周が前記球通路に臨む位置に設け、
　モータの回転軸の回転を前記回転部材に歯車機構を介して伝達することにより回転部材を回転させるパチンコ球の送り出し装置において、
　前記回転軸に回転体を一体的に設けると共にその回転体の所定の環状領域に互いに異なる性質を有する標識部及び非標識部を形成し、
　静止部位に前記回転体の前記環状領域に対応して標識部検出器を設け、
　前記標識部及び非標識部は互いに等しい角度領域にわたって前記環状領域を等分するように形成されていることを特徴とするパチンコ球の送り出し装置。」
　
２．引用刊行物に記載の発明
　原査定の拒絶理由に引用された特開昭６３−１６４９７７号公報（以下、「引用例１」という。）には、以下の事項が記載されている。
(1-a).「パチンコ球が一列になつて流下する球通路と、球通路の傍に回転自在に軸架され、その球通路内に臨む外周に等間隔にパチンコ球を嵌入する半円状の切欠が形成され、かつ中央にウオーム歯車を備えた歯車状の球切り円盤と、
　球切り円盤のウオーム歯車に噛み合うウオームと、
　ウオームを回転させるモータとから成り、
　前記球切り円盤の（３６０゜／切欠の数）の回転毎にパチンコ球を１個単位で下方へ送り出すようにしたことを特徴とするパチンコ球の送出し装置。」（１頁左下欄５〜１４行）
(1-b).「送出し装置７は、上下が開口する中空の角筒体としたケース９を備える。・・・また、２つの球切り円盤１２ａ、１２ｂは、切欠１３ａ、１３ｂを設けたフランジ部が球通路１０ａ、１０ｂの内部にそれぞれ臨ませており、球通路１０ａ、１０ｂに並ぶ先頭のパチンコ球Ｂを切欠１３ａ、１３ｂで受けるようになつている。
　前記ウオーム歯車１５は、ウオーム１６に噛合つている。ウオーム１６の軸１７の一端はケース９の側壁に軸支され、他端はこれを回転するようにモータ、特にこの実施例ではステツピングモータ１８の軸１９に連結してある。
　ステツピングモータ１８は、ケース９の外側部にビス止め等の手段により取付けられる。前記ウオーム歯車１５とウオーム１６は、ウオーム１６の一回転に対して球切り円盤１２ａ、１２ｂが（３６０゜／切欠の数）の回転を生じるように限定されている。そして、球切り円盤１２ａの切欠１３ａと、球切り円盤１２ｂの切欠１３ｂは、球切り円盤１２ａ、１２ｂが前記（３６０゜／切欠の数）の回転を生じたとき、切欠１３ａ、１３ｂに嵌入する１個のパチンコ球を交互に下方へ送り出すように位置を違えて設けられている。」（２頁右下欄１２行〜３頁右上欄７行）
(1-c).「２２ａ、２２ｂは球通路１０ａ、１０ｂの下端に設けられ、放出樋８へ送り出されるパチンコ球を検出するための排出球検出スイツチである。」（３頁右上欄１３〜１６行）
(1-d).「ウオームとウオーム歯車により球切り円盤を回転させ、それによつてパチンコ球を１個単位で送り出すという技術的手段を講じたために、」（３頁左下欄２０行〜右下欄３行）
　これらの記載及び図１乃至８によれば、引用例１には、以下の発明が記載されているものと認められる。
「パチンコ球を１個単位で下方へ送り出すようにした球切り円盤１２ａ、１２ｂに設けたフランジ部を、パチンコ球が一列になつて流下する球通路の内部にそれぞれ臨ませ、
　当該球切り円盤１２ａ、１２ｂを、ステッピングモータ１８の軸１９及びウオーム１６の軸１７をウオーム１６とウオーム歯車１５により回転させて、パチンコ球Ｂを放出樋８に送り出し、
　当該放出樋８へ送り出されたパチンコ球Ｂを、球通路１０ａ、１０ｂの下端に設けられた排出球検出スイッチ２２ａ、２２ｂにて計数する送り出し装置７。」（以下、「引用発明」という。）
　
３．本願発明と引用発明との対比検討
　本願請求項１に記載された発明（以下、「本願発明」という。）と引用発明とを対比すると、
　引用発明における「パチンコ球が一列になつて流下する球通路１０ａ、１０ｂ」、「パチンコ球を１個単位で下方へ送り出すようにした球切り円盤１２ａ、１２ｂ」、「フランジ部」、「ステッピングモータ１８の軸１９及びウオーム１６の軸１７」、「ウオーム１６とウオーム歯車１５」、「送り出し装置７」は、
　本願発明における「パチンコ球が縦列をなして通過する球通路」、「パチンコ球を単位個数づつ通過させる回転部材」、「外周」、「モータの回転軸」、「歯車機構」、「送り出し装置」にそれぞれ相当する。
　両者は「パチンコ球が縦列をなして通過する球通路に、パチンコ球を単位個数づつ通過させる回転部材を、その外周が前記球通路に臨む位置に設け、
　モータの回転軸の回転を前記回転部材に歯車機構を介して伝達することにより回転部材を回転させるパチンコ球の送り出し装置」である点で一致し、
　送り出し個数の計数手段において相違する。
　すなわち、本願発明は計数手段を回転軸に配設し、その具体的構成として「回転軸に回転体を一体的に設けると共にその回転体の所定の環状領域に互いに異なる性質を有する標識部及び非標識部を形成し、静止部位に前記回転体の前記環状領域に対応して標識部検出器を設け、前記標識部及び非標識部は互いに等しい角度領域にわたって前記環状領域を等分するように形成されている」構成であるのに対して、
　引用発明は、計数手段が球通路の下端に配置され、その具体的構成が記載されていない点で相違する。
　上記相違点について検討すると、
　回転部材（球切り円盤が相当）の回転を検出することにより送り出し個数を計数すること、及び、回転部材の回転軸に回転体を一体的に設けると共に、その回転体の所定の環状領域に互いに異なる性質を有する標識部及び非標識部を形成し、静止部位に前記回転体の前記環状領域に対応して標識部検出器を設け、モータの回転軸の動力が伝達される回転部材の回転軸に回転体を一体的に設けると共に、その回転体の所定の環状領域に互いに異なる性質を有する標識部及び非標識部を形成し、静止部位に前記回転体の前記環状領域に対応して標識部検出器を設ける構成の検出手段は、実願昭５８−２０３５５７号（実開昭６０−１０９６８７号）のマイクロフィルム、実願昭５８−１１２６４０号（実開昭６０−２０２８１号）のマイクロフィルム、実願昭５８−１９２７３６号（実開昭６０−９９９８０号）のマイクロフィルム）に示されるように周知である。
　しかも、当該回転は、モータにより回転されるもので、モータの回転と同一視できるものであるから、当該検出手段をモータ回転軸に配設することは当業者ならば容易に想到できるものと認められる。
　また、回転体と標識部検出器からなる回転検出装置において、回転体の標識部及び非標識部を互いに等しい角度領域にわたって環状領域を等分する構成とすることは、特開昭５２−１４８１７８号公報、実願昭６３−１０３７４４号（実開平２−２５８６７号）のマイクロフィルム、特開昭６２−２１７１６４号公報にも記載されているように周知慣用の技術にすぎず、回転体の標識部及び非標識部を前記構成とすることは、単なる設計的事項程度のことにすぎない。
　よって、引用発明に記載されたモータの回転軸に回転体を設ける構成となるように上記周知である回転検出装置を設けて上記本願発明に係る相違点の構成とすることは、当業者が容易に想到できるものと認められる。
　そして、本願発明の奏する効果は上記引用発明及び上記周知技術から当業者が容易に予測し得るものであって、格別顕著なものとも認められない。
　したがって、本願発明は、上記引用発明及び上記周知技術に基づいて当業者が容易に発明をすることができたものである。
　
４．むすび
　以上のとおり、本願発明は、上記引用発明及び上記周知技術に基づいて当業者が容易に発明をすることができたものであるから、特許法第２９条第２項の規定により特許を受けることができない。
　よって、結論のとおり審決する。